(57)【要約】【課題】  操作部の開閉が可能な携帯電話端末に係り、操作キーの操作可能状態に応じて利用可能な機能と利用不可能な機能を区別して表示することを目的とする。【解決手段】  制御部３は、筐体開閉検知部１３が筐体１５の開閉状態を検知した結果から操作部２の操作可能範囲を判断し、携帯電話端末１の利用可能なメニューと利用不可能なメニューとを対応テーブル部１４に基づいて判断する。制御部３は、筐体開閉検知部１３が検知した筐体開閉状態と対応テーブル部１４の情報から、使用可能な機能メニューと使用不可能な機能メニューとを判断し、使用可能な機能メニューと使用不可能な機能メニューとを区別して表示部１０に表示する処理を行う。【選択図】        図３
2006215935.tif 000002
【特許請求の範囲】
【請求項１】
入力操作を受け付ける操作部と、
情報を表示する表示部と、
前記操作部の操作可能範囲を検知する検知部と、
前記検知部が検知した前記操作部の操作可能範囲に基づいて前記表示部に表示する情報の内容の変更を制御する制御部と
を備えたことを特徴とする情報表示装置。
【請求項２】
前記情報表示装置は、前記操作部の開閉が可能である筐体を備え、
前記操作部は、前記筐体の開閉状態によって操作可能範囲が変化し、前記筐体が開状態の場合の操作可能範囲と前記筐体が閉状態の場合の操作可能範囲とは少なくとも異なる範囲であり、
前記検知部は、前記筐体の開閉状態に基づいて操作可能範囲を検知することを特徴とする請求項１に記載の情報表示装置。
【請求項３】
前記情報表示装置は、前記表示部を前記筐体の表面に備えた携帯電話端末であることを特徴とする請求項１記載の情報表示装置。
【請求項４】
前記表示部は、前記情報表示装置が有する機能の項目を表示し、
前記制御部は、前記操作部の操作可能範囲で操作可能である機能の項目と前記操作部の操作可能範囲で操作不可能な機能の項目とを区別して前記表示部へ表示することを特徴とする請求項１記載の情報表示装置。
【請求項５】
前記情報表示装置は、前記操作部の操作可能範囲と前記操作部の操作可能範囲で操作可能である機能の項目とを対応づけたメモリで記憶する対応テーブル部を備え、
前記制御部は、前記検知部が検知した前記操作部の操作可能範囲と前記対応テーブル部に基づいて前記表示部に表示することを特徴とする請求項１記載の情報表示装置。
【請求項６】
前記情報表示装置は、さらに、
前記検知部が検知した前記操作部の操作可能範囲に基づいて前記表示部に表示する情報の内容を変更して表示する場合と前記検知部が検知した前記操作部の操作可能範囲に関わらず前記表示部に情報を表示する場合とのいずれかに切り替える切替部を備えたことを特徴とする請求項１〜４のいずれかに記載の情報表示装置。
【請求項７】
前記切替部は、前記検知部が検知した前記操作部の操作可能範囲に基づいて前記表示部に表示する情報の内容を変更して表示する場合と前記検知部が検知した前記操作部の操作可能範囲に関わらず前記表示部に情報を表示する場合とのいずれかにあらかじめ設定できることを特徴とする請求項１〜４のいずれかに記載の情報表示装置。
【請求項８】
前記切替部は、前記操作部へ入力することにより前記検知部が検知した前記操作部の操作可能範囲に基づいて前記表示部に表示する情報の内容を変更して表示する場合と前記検知部が検知した前記操作部の状態に関わらず前記表示部に情報を表示する場合とのいずれかに切り替えることができることを特徴とする請求項３記載の情報表示装置。
【請求項９】
入力操作を受け付ける操作部と、情報を表示する表示部と、前記操作部の操作可能範囲を検知する検知部とを備えた情報表示装置の表示方法において、
前記検知部が検知した前記操作部の操作可能範囲に基づいて前記表示部に表示する情報の内容を変更して表示する場合と前記検知部が検知した前記操作部の操作可能範囲に関わらず前記表示部に情報を表示する場合とのいずれかに切り替える切替ステップと、
前記操作部の操作可能範囲を検知する検知ステップと、
前記検知部が検知した前記操作部の操作可能範囲に基づいて前記表示部に表示する情報の内容の変更を制御する制御ステップと
を備えたことを特徴とする情報表示方法。
【発明の詳細な説明】
【技術分野】
【０００１】
本発明は、操作部の開閉が可能である筐体を有する携帯型情報端末に係り、筐体の開閉状態により表示部に表示する機能の項目を変更する技術に関するものである。
【背景技術】
【０００２】
キー操作部を筐体内部に備え表示装置部を筐体外部に備えた形態の携帯電話端末は公知である。ユーザがキー操作部を筐体内部に備え表示装置部を筐体外部に備えた形態の携帯電話端末の操作をする際には、キー操作部を回転あるいはスライドさせることでキー操作部を操作可能とする。しかしながら、すべてのキーを用いなくても、予め筐体外部に配置された一部のキーのみで使用可能である携帯電話端末の機能メニューも存在する。
【０００３】
上記の背景にも関わらず、従来の携帯電話端末には、筐体の状態つまりキー操作部の操作可能範囲に基づいて使用可能な機能メニューだけを表示するといった機能は搭載されていない。このため、実際には操作できない不要なメニューも表示されてしまうという課題がある。
【特許文献１】特開２００１−１０９７１３号公報
【発明の開示】
【発明が解決しようとする課題】
【０００４】
従来の携帯電話端末には、筐体の状態つまりキー操作部の操作可能範囲に基づいて使用可能な機能メニューだけを表示するといった機能は搭載されていない。このため、実際には操作できない不要なメニューも表示されてしまうという課題がある。例えば、電卓機能などは計算時に数値入力キーや四則演算入力キーの使用を必要とするが、これらのキーが筐体内部に閉じこめられた状態では電卓機能を立ち上げたところで使用することはできないという課題があった。
【０００５】
本発明の実施の形態は、携帯電話端末の操作キーの使用可能状態に応じて、実際に操作できる機能と操作できない機能を区別して表示することでユーザの操作性を向上させることを目的としている。
【課題を解決するための手段】
【０００６】
本発明に係る情報表示装置は、
入力操作を受け付ける操作部と、
情報を表示する表示部と、
前記操作部の操作可能範囲を検知する検知部と、
前記検知部が検知した前記操作部の操作可能範囲に基づいて前記表示部に表示する情報の内容の変更を制御する制御部と
を備えたことを特徴とする。
【発明の効果】
【０００７】
本発明によれば、筐体の開閉状態により情報表示装置の操作部の操作可能範囲を検知し、使用可能なメニュー項目と使用不可能なメニュー項目を区別して表示部に表示できる。このため、情報表示装置の利用者は不要な機能メニューを容易に判別することが可能となり、利用者の操作性を向上させることができる。
【０００８】
また、本発明に係る携帯電話端末は、筐体の開閉状態から操作部の操作可能範囲を検知するため、簡単なステップで不要なメニューを区別して表示する処理をすることができる。
【発明を実施するための最良の形態】
【０００９】
実施の形態１．
本実施の形態では、情報表示装置の一例として携帯電話端末１を用いて説明する。本実施の形態における携帯電話端末１は、操作部を筐体内部に備え表示部を筐体外部に備えた形態の携帯電話端末である。利用者は、筐体閉状態の携帯電話端末１の操作部を回転あるいはスライドさせることで携帯電話端末１を筐体開状態とする。
【００１０】
図１は、実施の形態１における携帯電話端末１の筐体閉状態の外観図である。携帯電話端末１は、筐体１５を有し、筐体１５の表面に携帯電話端末１の機能メニュー等の情報を表示するための表示部１０を備えている。また、表示部１０と同じ表面に操作部の一部を備えており、筐体閉状態では一部のキーの範囲である操作部（筐体閉状態）２ａが操作可能である。操作部（筐体閉状態）２ａは、筐体閉状態で操作可能であれば携帯電話端末１の側面にあってもよい。操作部（筐体閉状態）２ａは、ファンクションキー１６と、機能メニューを表示するためのメニューキー１７と、機能メニューやデータ等を選択するための十字キー１８とを有する。
【００１１】
図２は、実施の形態１における携帯電話端末１の筐体開状態の外観図である。携帯電話端末１は、筐体１５を有し、筐体１５の表面に携帯電話端末１の機能メニュー等の情報を表示するための表示部１０を備えている。筐体１５が筐体開状態になると、すべてのキーの範囲である操作部（筐体開状態）２ｂが筐体１５の表面に備わり、筐体開状態ではすべてのキーが操作可能となる。操作部（筐体開状態）２ｂは、操作部（筐体閉状態）２ａの有するキーに加えて、数値や文字や演算記号等を入力するためのテンキー１９を有する。
【００１２】
図３は、実施の形態１における携帯電話端末１の内部構成図である。
【００１３】
携帯電話端末１は、操作部２、制御部３、スピーカ４、マイク５、無線部６、アンテナ７を備えている。
【００１４】
操作部２は、携帯電話端末１の機能メニューの選択や数値や文字や記号等のデータの入力を受け付けるキー操作部である。操作部２は、携帯電話端末１の筐体閉状態には操作部２の一部である操作部（筐体閉状態）２ａが操作可能となり、携帯電話端末１の筐体開状態には操作部２のすべてのキーである操作部（筐体開状態）２ｂが操作可能となる。このため、携帯電話端末１は、筐体閉状態では使用不可能な機能メニューが存在する。
【００１５】
制御部３は、筐体１５の筐体開閉状態から操作部２の操作可能範囲を判断する。
【００１６】
まず、筐体開閉検知部１３（検知部の一例）が、筐体１５の筐体開閉状態を検知する。制御部３は、筐体開閉検知部１３の検知した結果（操作部２の操作可能範囲）より携帯電話端末１の使用可能なメニューと使用不可能なメニューとをＲＯＭ（Ｒｅａｄ  Ｏｎｌｙ  Ｍｅｍｏｒｙ）８内の対応テーブル部１４に基づいて判断する。次に制御部３は、使用可能な機能メニューと使用不可能な機能メニューとを表示部１０へ表示する処理を行う。
【００１７】
使用可能な機能メニューと使用不可能な機能メニューとを利用者が判別できるように区別して表示する方法については後述する。
【００１８】
図４は、実施の形態１における対応テーブル部の例である。
【００１９】
対応テーブル部１４は、ＲＯＭ８内に予め設定されている。対応テーブル部１４には、メニュー項目が筐体開閉状態ごとに使用可能であるか使用不可（起動制限）であるかの情報が設定されている。
【００２０】
たとえば、メニュー項目が「電卓」の場合、筐体開状態では操作部２のすべてのキーが操作可能であるので電卓機能が使用可能となる。しかしながら、筐体閉状態では操作部２の数値入力キーや記号入力キー等のキーが操作不可能となっているため、電卓機能は使用不可（起動制限）となる。また、メニュー項目が「受信メール」の場合は、筐体閉状態で操作可能な一部の操作部２のみで受信メールの受信やメール読み出しが可能であるため、筐体開状態でも筐体閉状態でも使用可能となる。
【００２１】
図５は、実施の形態１における携帯電話端末１の表示方法を示すフローチャート図である。
【００２２】
携帯電話端末１は、メニューキー１７が押下されるとすべてのキー操作が使用可能か否かを判別する。すべてのキー操作が使用可能か否かを判別するためには、まず筐体開閉検知部１３が筐体１５の開閉状態を検知する（筐体開閉検知ステップ）。次に、制御部３は筐体開閉検知部１３が検知した筐体開閉状態に基づいて操作部２の操作可能範囲を判断する。
【００２３】
携帯電話端末１の制御部３は、筐体開状態と判断するとＲＯＭ８内の対応テーブル部１４を参照し筐体開状態で使用可能となっているメニュー項目を表示部１０に表示する。本実施の形態では、筐体開状態では操作部２のすべてのキーが操作可能であるのですべてのメニュー項目が使用可能となり表示部１０にはすべてのメニュー項目が表示される。
【００２４】
図６は、筐体開状態でメニューキーを押下したときの表示画面の一例を示す図である。
【００２５】
また、携帯電話端末１の制御部３は、筐体閉状態と判断するとＲＯＭ８内の対応テーブル部１４を参照し筐体閉状態で使用可能なメニュー項目を通常通りに表示部１０に表示し、使用不可能なメニュー項目はグレイアウト表示で表示部１０に表示する。
【００２６】
図７は、筐体閉状態でメニューキーを押下したときの表示画面の一例を示す図である。
【００２７】
図７のように、本実施の形態では使用不可能なメニュー項目はグレイアウト表示とすることで、使用可能なメニュー項目と区別する例を説明した。しかしながら、白抜き文字にするなどの利用者が使用可能メニューと使用不可能メニューとを区別できればどのような文字にしてもよい。また、使用可能なメニューのみを表示し使用不可能なメニュー項目は非表示にしてもよい。
【００２８】
図８は、筐体閉状態でメニューキー１７を押下したときの表示画面の一例を示す図である。この例では、使用不可能なメニュー項目は非表示としている。
【００２９】
このように、使用可能なメニュー項目と使用不可能なメニュー項目を利用者にわかりやすく区別して表示することにより、利用者は使用可能なメニュー項目を容易に判別することができるので、利用者の操作性を向上させることができる。
【００３０】
実施の形態２．
本実施の形態では、実施の形態１における携帯電話端末１が、使用可能なメニューと使用不可能なメニューを区別して表示する場合と使用可能なメニューと使用不可能なメニューを区別せずに筐体の開閉状態に関わらずすべてのメニューを表示する場合とのいずれかに切替ることができる場合について説明する。
【００３１】
図９は、実施の形態１における携帯電話端末１がメニュー表示切替部（切替部の一例）を備えた場合の内部構成図である。
【００３２】
携帯電話端末１は、メニュー表示切替部１２を備えている。メニュー表示切替部１２は、携帯電話端末１の筐体開閉状態に基づいて表示部１０に表示するメニュー項目を変更して表示する場合と筐体開閉状態に関わらず表示部１０にすべてのメニュー項目を表示する場合とのいずれかに切替ることができる。
【００３３】
メニュー表示切替機能設定値保持部１１は、メニュー表示切替機能を有効とするか無効とするかの設定値を保持している。
【００３４】
図１０は、メニュー表示切替機能設定値保持部１１の一例である。携帯電話端末１の筐体開閉状態に基づいて表示部１０に表示するメニュー項目を変更して表示する場合は、メニュー表示切替機能設定値保持部１１にメニュー表示切替機能を有効として有効の設定値を「１」とする。また、筐体開閉状態に関わらず表示部１０にすべてのメニュー項目を表示する場合は、メニュー表示切替機能を無効として無効の設定値に「１」とする。
【００３５】
メニュー切替機能はユーザ設定でＯＮ／ＯＦＦすることが可能である。ソフトウェアの設定機能で予めユーザ設定しておく場合は、メニュー表示切替機能設定値保持部１１に予め設定値「１」を入力しておく。
【００３６】
また、利用者が後から携帯電話端末１のキーやスイッチなどから入力することで、メニュー表示切替機能設定値保持部１１の設定値を変更してメニュー切替機能を切替ることもできる。
【００３７】
図１１は、実施の形態２における携帯電話端末１の表示方法を示すフローチャート図である。
【００３８】
携帯電話端末１は、メニューキーが押下されるとメニュー表示切替機能設定値保持部１１を判定する（メニュー表示機能切替ステップ）。
【００３９】
メニュー切替表示機能が無効の場合は、携帯電話端末１の操作部２の操作可能範囲に関わらずすべてのメニュー項目を表示部１０に表示する。
【００４０】
メニュー表示切替機能が有効の場合は、携帯電話端末１はすべてのキー操作が使用可能か否かを判別する。まず、筐体開閉検知部１３が筐体１５の開閉状態を検知する（筐体開閉検知ステップ）。次に、制御部３は筐体開閉検知部１３が検知した筐体開閉状態に基づいて操作部２の操作可能範囲を判断する。
【００４１】
携帯電話端末１の制御部３は、筐体開状態と判断するとＲＯＭ８内の対応テーブル部１４を参照し筐体開状態で使用可能となっているメニュー項目を表示部１０に表示する。本実施の形態では、筐体開状態では操作部２のすべてのキーが操作可能であるのですべてのメニュー項目が使用可能となり表示部１０にはすべてのメニュー項目が表示される。
【００４２】
また、携帯電話端末１の制御部３は、筐体閉状態と判断するとＲＯＭ８内の対応テーブル部１４を参照し筐体閉状態で使用可能なメニュー項目を通常通りに表示部１０に表示し、使用不可能なメニュー項目はグレイアウト表示で表示部１０に表示する。
【００４３】
以上のように、実施の形態２によれば、メニュー表示切替機能の有効／無効を利用者が容易に選択することができる。
【図面の簡単な説明】
【００４４】
【図１】実施の形態１における携帯電話端末１の筐体閉状態の外観図である。
【図２】実施の形態１における携帯電話端末１の筐体開状態の外観図である。
【図３】実施の形態１における携帯電話端末１の内部構成図である。
【図４】実施の形態１における対応テーブル部の例である。
【図５】実施の形態１における携帯電話端末の表示処理を示すフローチャート図である。
【図６】実施の形態１における筐体開状態での表示画面の一例を示す図である。
【図７】実施の形態１における筐体閉状態での表示画面の一例を示す図である。
【図８】実施の形態１における筐体閉状態での表示画面の一例を示す図である。
【図９】実施の形態２における携帯電話端末１の内部構成図である。
【図１０】実施の形態２におけるメニュー設定値保持部の一例である。
【図１１】実施の形態２における携帯電話端末の表示処理を示すフローチャート図である。
【符号の説明】
【００４５】
１  携帯電話端末、２  操作部、３  制御部、４  スピーカ、５  マイク、６  無線部、７  アンテナ、８  ＲＯＭ、９  ＲＡＭ、１０  表示部、１１  メニュー表示切替機能設定値保持部、１２  メニュー表示切替部、１３  筐体開閉検知部、１４  対応テーブル部、１５  筐体、１６  ファンクションキー、１７  メニューキー、１８  十字キー、１９  テンキー。
【図１】
2006215935.tif 000003
【図２】
2006215935.tif 000004
【図３】
2006215935.tif 000005
【図４】
2006215935.tif 000006
【図５】
2006215935.tif 000007
【図６】
2006215935.tif 000008
【図７】
2006215935.tif 000009
【図８】
2006215935.tif 000010
【図９】
2006215935.tif 000011
【図１０】
2006215935.tif 000012
【図１１】
2006215935.tif 000013